(57)【特許請求の範囲】
【請求項１】
入力映像をディジタル化して送出する複数の映像送出処理部と、前記映像送出処理部から送られてくる入力映像のディジタル映像信号を受信して、映像表示装置に表示するための処理を行う複数の映像表示処理部と、前記映像送出処理部および映像表示処理部が接続される伝送路とを備えた映像データ伝送システムにおいて、前記映像表示処理部に、前記伝送路からの前記入力映像のディジタル映像信号の受信を行い、要求に応じてそのディジタル映像信号を伝送路に再送出する機能を有する受信・再送手段と、所望の入力映像の入力がある前記映像送出処理部に対して、ディジタル映像信号の新たな送出の可否、および現在そのディジタル映像信号を送出している送出先の問い合わせを行う問合手段と、前記問合手段による問い合わせの結果通知されてくる送信先、すなわち現在そのディジタル映像信号が送出されている映像表示処理部に対して、そのディジタル映像信号の送出を要求する要求手段を持たせ、前記映像送出処理部に、入力映像のディジタル映像信号を複数の前記映像表示処理部に対して同時に伝送する伝送手段と、当該映像送出処理部の伝送能力、および現在伝送している前記ディジタル映像信号の送出先とそれに利用されている伝送容量を記憶する記憶手段と、前記映像表示処理部の問合手段から問い合わせがあると、前記記憶手段に記憶されているデータに基づいて、ディジタル映像信号の送出の可否の判定結果、あるいはそのディジタル映像信号が現在送出されている映像表示処理部を回答する判定手段を持たせ、前記映像送出処理部の最大処理能力を伝送能力として前記記憶手段に記憶させ、前記判定手段が、前記映像送出処理部の最大処理能力と現在ディジタル映像信号の伝送に利用している伝送容量の合計との比較によって、ディジタル映像信号の送出の可否を判定することを特徴とする映像データ伝送システム。
【請求項２】
映像送出処理部の伝送手段が、現在入力中の入力映像のディジタル映像信号のみを、複数の映像表示処理部に対して同時に伝送するものであることを特徴とする請求項１記載の映像データ伝送システム。
【請求項３】
映像送出処理部に、入力映像を一時蓄積する映像蓄積手段を設けるとともに、伝送手段に、前記映像蓄積手段に蓄積された蓄積映像のディジタル映像信号を伝送する機能を、記憶手段に、前記伝送手段によって前記蓄積映像のディジタル映像信号を映像表示処理部に伝送した履歴を記憶する機能を、判定手段に、問い合わせを受けたとき、前記記憶手段に記憶されている履歴データに基づいて、該当する蓄積映像が転送されている映像表示処理部を回答する機能をそれぞれ付加し、映像表示処理部に、前記映像送出処理部より受信した蓄積映像を一時蓄積する映像蓄積手段と、この映像蓄積手段に蓄積した蓄積映像の送信元を記憶する記憶手段を設けるとともに、問合手段に、所望の蓄積映像をその映像蓄積手段に蓄積している映像送出処理部に対して、当該蓄積映像の送出の可否、およびその蓄積映像の転送先を問い合わせる機能を、要求手段に、前記問合手段による問い合わせに対して、該当する蓄積映像を蓄積していると回答のあった映像表示処理部に対して、その蓄積映像の送出を要求する機能を、受信・再送手段に、他の映像表示処理部からの前記蓄積映像の送出要求に応じて、該当する蓄積映像を前記映像蓄積手段より読み出してその映像表示処理部に送出する機能をそれぞれ付加したことを特徴とする請求項１記載の映像データ伝送システム。
【請求項４】
入力映像をディジタル化して送出する複数の映像送出処理部と、前記映像送出処理部から送られてくる入力映像のディジタル映像信号を受信して、映像表示装置に表示するための処理を行う複数の映像表示処理部と、前記映像送出処理部および映像表示処理部が接続される伝送路とを備えた映像データ伝送システムにおいて、前記伝送路に伝送状況を管理する伝送路管理部を接続し、前記映像表示処理部に、前記伝送路からの前記入力映像のディジタル映像信号の受信を行い、要求に応じてそのディジタル映像信号を伝送路に再送出する機能を有する受信・再送手段と、前記伝送路管理部に対して、所望の入力映像が入力されている映像送出処理部にて送出中のディジタル映像信号の新たな送出の可否、および現在そのディジタル映像信号を送出している送出先の問い合わせを行う問合手段と、前記問合手段による問い合わせの結果通知されてくる、現在そのディジタル映像信号が送出されている映像表示処理部に対して、そのディジタル映像信号の送出を要求する要求手段を持たせ、前記映像送出処理部に、入力映像のディジタル映像信号を複数の前記映像表示処理部に対して同時に伝送する伝送手段と、現在伝送を行っているディジタル映像信号の送出先、およびそれに利用している伝送容量を前記伝送路管理部に通知する通知手段を持たせ、前記伝送路管理部に、前記各映像送出処理部の伝送能力、および各映像送出処理部が現在伝送を行っているディジタル映像信号の送出先とそれらに利用されている伝送容量を記憶する記憶手段と、前記映像表示処理部の問合手段から問い合わせがあると、前記記憶手段に記憶されているデータに基づいて、ディジタル映像信号の送出の可否の判定結果、あるいは当該ディジタル映像信号が現在送出されている映像表示処理部を回答する判定手段を持たせ、前記映像送出処理部の最大処理能力を伝送能力として前記記憶手段に記憶させ、前記判定手段が、前記映像送出処理部の最大処理能力と現在ディジタル映像信号の伝送に利用している伝送容量の合計との比較によって、ディジタル映像信号の送出の可否を判定することを特徴とする映像データ伝送システム。
【請求項５】
入力映像をディジタル化して送出する複数の映像送出処理部と、前記映像送出処理部から送られてくる入力映像のディジタル映像信号を受信して、映像表示装置に表示するための処理を行う複数の映像表示処理部と、前記映像送出処理部および映像表示処理部が接続される伝送路とを備えた映像データ伝送システムにおいて、前記映像表示処理部に、前記伝送路からの前記入力映像のディジタル映像信号の受信を行い、要求に応じてそのディジタル映像信号を伝送路に再送出する機能を有する受信・再送手段と、他の映像表示処理部に対して、所望の入力映像の入力がある映像送出処理部からディジタル映像信号を受信中であるか否か、および受信中のディジタル映像信号の新たな送出の可否を問い合わせる問合手段と、他の映像表示処理部の問合手段による問い合わせに応答して、該当するディジタル映像信号を受信中であるか否か、あるいは受信中のディジタル映像信号の新たな送出の可否を回答する応答手段と、前記問合手段による問い合わせの結果、該当するディジタル映像信号を受信中であるとの応答があった映像表示処理部に対してディジタル映像信号の送出を要求する要求手段を持たせたことを特徴とする映像データ伝送システム。
【請求項６】
要求手段に、所望の入力映像のディジタル映像信号を受信中の映像表示処理部がなかった場合に、映像送出処理部に対してそのディジタル映像信号の送出を要求する機能を持たせたことを特徴とする請求項５記載の映像データ伝送システム。
【請求項７】
映像送出処理部に、現在入力中の入力映像を一時蓄積する映像蓄積手段と、現在入力中の入力映像のディジタル映像信号、および前記映像蓄積手段に一時蓄積された蓄積映像のディジタル映像信号を映像表示処理部に伝送する伝送手段を設け、映像表示処理部に、前記映像送出処理部より受信した蓄積映像を一時蓄積する映像蓄積手段と、この映像蓄積手段に蓄積した蓄積映像の送信元を記憶する記憶手段を設けるとともに、問合手段に、他の映像表示処理部に対して、その映像蓄積手段に所望の蓄積映像を蓄積しているか否か、およびその蓄積映像の送出の可否を問い合わせる機能を、応答手段に、該当する蓄積映像を蓄積しているか否か、あるいはその蓄積映像の送出の可否を回答する機能を、要求手段に、前記問い合わせの結果、所望の蓄積映像を蓄積しているとの応答があれば、その映像表示処理部に対して該当する蓄積映像信号の送出を要求する機能を、受信・再送手段に、前記映像蓄積手段からの蓄積映像を受信するとともに、他の映像表示処理部からの要求に応じて、該当する蓄積映像を前記映像蓄積手段より読み出して伝送路に送出する機能をそれぞれ付加したことを特徴とする請求項５記載の映像データ伝送システム。
【請求項８】
要求手段に、所望の蓄積映像を蓄積している映像表示処理部がなかった場合に、映像送出処理部に対してその蓄積映像の送出を要求する機能を持たせたことを特徴とする請求項７記載の映像データ伝送システム。
【発明の詳細な説明】
【０００１】
【発明の属する技術分野】
この発明は、カメラなどから入力される映像を遠隔地で監視する監視システムなどで用いられる映像データ伝送システムに関するもので、特に入力映像をディジタル化し、そのディジタル映像信号を伝送路経由で複数地点に配置された映像表示装置に送って表示することを可能とする映像データ伝送システムに関するものである。
【０００２】
【従来の技術】
図１３は、従来の映像データ伝送システムの構成を示すシステム構成図で、遠隔画像監視システムへの適用例を示したものである。図において、１は監視現場を撮影するカメラであり、２はカメラ１からの入力映像をディジタル化して送出する映像送出処理部である。３はそのディジタル映像信号を受信して表示処理する映像表示処理部、４は表示処理された映像が表示される映像表示装置であり、５はこれら各映像送出処理部２と映像表示処理部３とが接続されている伝送路である。また、映像送出処理部２内において、１１はカメラ１から入力された映像信号を処理するカメラ入力部、１２は伝送路５とのインタフェースをとる伝送路インタフェース部であり、映像表示処理部３内において、１３は伝送路５とのインタフェースをとる伝送路インタフェース部、１４は映像表示装置４とのインタフェースをとる表示装置インタフェース部である。
【０００３】
次に動作について説明する。
映像表示処理部３は通常監視センタ内に設置されており、そこには監視人がいる。この監視人が、監視したい地点のカメラ１を選択操作することにより、対応する映像送出処理部２に映像伝送要求を出す。映像送出処理部２はカメラ１から入力された映像信号を処理し、ディジタル映像信号を伝送路５経由で映像表示処理部３に送出する。映像表示処理部３は受信したディジタル映像信号を表示処理し、映像表示装置４に所望の映像を映し出す。
【０００４】
ここで、図示のように監視センタが１箇所にある場合には、カメラ１で撮影された映像信号は伝送路５を経由して問題なく監視センタの映像表示処理部３に届くが、監視センタが複数箇所になった場合、同一のカメラ１で撮影した映像信号を複数の監視センタで監視するのは難しい。映像送出処理部２を複数の監視センタに接続できるように、各映像送出処理部２側の送信処理回路を監視センタ（映像表示処理部３）の数だけ用意すれば対応可能であるが、例えば監視センタが１０箇所あるとすれば、各映像送出処理部２に１０個の送出処理回路を用意する必要がある。
【０００５】
また、ＣＡＴＶシステムなどで使われているように映像を多重伝送でき、各映像送出処理部２毎に伝送路５の映像チャンネルを１つずつ占有し、映像送出処理部２の数だけチャンネル数を持つ伝送路５を準備できれば、このＣＡＴＶシステムにつながる複数の映像表示処理部３は、チャンネル選局だけで所望のカメラ１で撮影された映像を選ぶことができる。しかしながら、そのような監視システムでは、監視用のカメラ１が１００台を越えるような大規模なものになるとチャンネル数が多くなりすぎて現実的でなくなる。
【０００６】
さらに、映像送出処理部２を伝送路５に接続している伝送路５の容量に余裕がある場合には、図１４のフローチャートに示した手順に従って処理することにより、同一のカメラ１で撮影した映像信号を複数の映像表示処理部３に転送することが可能となる。すなわち、ステップＳＴ１にて監視したい地点のカメラ１が接続されている映像送出処理部２に新たな映像送出が可能か問い合わせ、ステップＳＴ２で送出の可否を判定する。送出可であればステップＳＴ３において、その映像送出処理部２に対してディジタル映像信号の送出を起動し、ステップＳＴ４で送られてきたディジタル映像信号に基づく映像を映像表示装置４に表示する。一方、すでに伝送路５がその最大伝送容量いっぱいまで使用されていて送出不可と判定された場合には、ステップＳＴ５に進んで伝送路５に余裕ができるまで待機状態に入る。
【０００７】
【発明が解決しようとする課題】
従来の映像データ伝送システムは以上のように構成されているので、複数の映像表示処理部３にて、分散配置された多数のカメラ１で撮影された映像信号をそれぞれ独立に選択して映像表示装置４に表示しようとする場合に、各映像表示処理部３と同数の送出処理回路を各映像送出処理部２内に用意するようにすると、装置構成が非常に冗長なものとなり、各映像送出処理部２毎に１チャンネルずつの映像チャンネルを割り当てるようにすると、監視用のカメラ１の数が１００台を越えるような大規模なシステムではチャンネル数が多くなりすぎて現実的でなくなり、伝送路５の伝送容量の余裕を利用するようにすると、多数の監視センタで同一のカメラ１の撮影した映像を同時に見たい場合に、伝送路５の伝送容量が小さいと待機状態となる確率が高くなるなどの課題があった。
【０００８】
この発明は上記のような課題を解決するためになされたもので、伝送路の伝送容量を必要以上に大きくすることなく、複数の伝送表示処理部で分散する多数のカメラを自由に選択してその映像を表示できる映像データ伝送システムを得ることを目的とする。
【０００９】
また、この発明は一時蓄積しておいた蓄積映像についても選択再生表示できる映像データ伝送システムを得ることを目的とする。
【００１０】
【課題を解決するための手段】
請求項１記載の発明に係る映像データ伝送システムは、映像表示処理部に、ディジタル映像信号を受信しながらその再送出を行う機能を持った受信・再送手段と、送出中のディジタル映像信号の新たな送出が不可であった場合の問い合わせに対して通知されてくる映像表示処理部に対して、該当するディジタル映像信号の送出を要求する要求手段を持たせ、映像送出処理部に、自身の伝送能力、および現在伝送しているディジタル映像信号の送出先と利用伝送容量を記憶する記憶手段と、記憶手段の記憶データに基づいた、ディジタル映像信号の送出可否の判定結果、あるいはそのディジタル映像信号が送出されている送出先を回答する判定手段を持たせ、映像送出処理部の最大処理能力を伝送能力として記憶手段に記憶させ、判定手段が、映像送出処理部の最大処理能力と現在ディジタル映像信号の伝送に利用している伝送容量の合計との比較によって、ディジタル映像信号の送出の可否を判定するものである。
【００１１】
請求項２記載の発明に係る映像データ伝送システムは、伝送手段で複数の映像表示処理部に対して同時に伝送するディジタル映像信号を、現在入力中の映像のディジタル映像信号のみとしたものである。
【００１２】
請求項３記載の発明に係る映像データ伝送システムは、映像送出処理部に入力映像を一時蓄積する映像蓄積手段を設けてその蓄積映像の伝送履歴を記憶手段に記憶させ、その記憶データに基づいて、蓄積映像の送出の可否の判定結果、および当該蓄積映像の送出先を回答する機能をその判定手段に付加し、映像表示処理部には受信した蓄積映像を一時蓄積する映像蓄積手段と、その蓄積映像の送信元を記憶する記憶手段を設けて、蓄積映像の送出不可の場合の問い合わせに対して映像送出処理部より通知されてくる、当該蓄積映像の転送先に蓄積映像の送出を要求する機能を要求手段に、要求された蓄積映像を映像蓄積手段より読み出して伝送路に送出する機能を受信・再送手段にそれぞれ付加したものである。
【００１３】
請求項４記載の発明に係る映像データ伝送システムは、伝送路に伝送路管理部を接続して、各映像送出処理部の伝送能力や、各映像送出処理部が現在伝送を行っているディジタル映像信号の送出先およびその利用伝送容量を記憶する記憶手段と、映像表示処理部からの問い合わせに対して、記憶手段の記憶データに基づいたディジタル映像信号の送出の可否の判定結果、およびそのディジタル映像信号を現在送出している送出先を回答する判定手段を持たせ、映像送出処理部に通知手段を設けて、現在伝送しているディジタル映像信号の送出先とそれに利用している伝送容量を伝送路管理部に通知させ、映像表示処理部の問合手段からは伝送路管理部に対してディジタル映像信号の送出可否の問い合わせを行い、映像送出処理部の最大処理能力を伝送能力として記憶手段に記憶させ、判定手段が、映像送出処理部の最大処理能力と現在ディジタル映像信号の伝送に利用している伝送容量の合計との比較によって、ディジタル映像信号の送出の可否を判定するようにしたものである。
【００１４】
請求項５記載の発明に係る映像データ伝送システムは、問合手段が他の映像表示処理部に対して、所望の入力映像の入力がある映像送出処理部からディジタル映像信号を受信中であるか否かを問い合わせ、要求手段はその問い合わせの結果、該当するディジタル映像信号を受信中であると応答した映像表示処理部に対してディジタル映像信号の送出を要求するようにしたものである。
【００１５】
請求項６記載の発明に係る映像データ伝送システムは、所望の入力映像のディジタル映像信号を受信中の映像表示処理部がなければ、映像送出処理部に対してそのディジタル映像信号の送出要求を行う機能を要求手段に付加したものである。
【００１６】
請求項７記載の発明に係る映像データ伝送システムは、映像送出処理部に入力映像を一時蓄積する映像蓄積手段を、映像表示処理部には受信した蓄積映像を一時蓄積する映像蓄積手段と、その蓄積映像の送信元を記憶する記憶手段を設けて、問合手段に他の映像表示処理部に対して、所望の蓄積映像を蓄積しているか否かを問い合わせる機能を、要求手段にその問い合わせの結果、蓄積しているとの応答があればその映像表示処理部に対して蓄積映像の送出要求を行う機能をそれぞれ付加したものである。
【００１７】
請求項８記載の発明に係る映像データ伝送システムは、所望の蓄積映像を蓄積している映像表示処理部がなければ、映像送出処理部に対してその蓄積映像の送出要求を行う機能を要求手段に付加したものである。
【００１８】
【発明の実施の形態】
以下、この発明の実施の一形態について説明する。
実施の形態１．
図１はこの実施の形態１による映像データ伝送システムの構成を示すシステム構成図で、この場合も遠隔画像監視システムへの適用例を示している。図において、１は監視現場を撮影して映像信号を入力するカメラであり、２はこのカメラ１からの入力映像を受け取ってディジタル化し、そのディジタル映像信号の送出を行う映像送出処理部である。３はこの映像送出処理部２より送られてきたディジタル映像信号を受信して表示処理する映像表示処理部であり、４は映像表示処理部３でディジタル映像信号を表示処理した映像が表示される映像表示装置である。５はそれら各映像送出処理部２および各映像表示処理部３が接続されている伝送路であり、この伝送路５はディジタル映像信号と各種コードデータとが混在して伝送できるマルチメディア対応のものであってもよいし、ディジタル映像信号伝送用と各種コードデータ伝送用の２種類の伝送路を並行して敷設したものであってもよい。
【００１９】
映像送出処理部２内において、１１はカメラ１より入力された映像信号をディジタル化して、ディジタル伝送が可能となるように変換するカメラ入力部であり、１２は伝送路５にその変換されたディジタル映像信号を送出したり、伝送路５からの各種要求に対しての通信処理を行う伝送路インタフェース部である。映像表示処理部３内において、１３は伝送路５からディジタル映像信号を受信処理したり、各種制御情報をやりとりする伝送路インタフェース部であり、１４は伝送路インタフェース部１３で受信処理されたディジタル映像信号を映像表示装置４に表示するための表示装置インタフェース部である。なお、以上の各部は図１３に同一符号を付して示した従来の映像データ伝送システムにおけるそれらに相当する部分である。
【００２０】
また、映像送出処理部２内において、１５は当該映像送出処理部２の伝送能力として、それが接続されている伝送路５の最大伝送容量を記憶するとともに、当該映像送出処理部２が現在伝送しているディジタル映像信号の送出先、およびそのために利用されている伝送容量を記憶する記憶手段である。さらに、この映像送出処理部２内の伝送路インタフェース部１２内において、２１はカメラ入力部１１で変換されたディジタル映像信号を、複数の映像表示処理部３に対して同時に伝送することができる伝送手段であり、２２は映像表示処理部３からの問い合わせがあると、記憶手段１５に記憶されているデータを参照して、新たなディジタル映像信号の送出可否の判定結果、あるいは該当するディジタル映像信号が現在送出されている映像表示処理部３を通知する判定手段である。
【００２１】
さらに、映像表示処理部３の伝送路インタフェース部１３内において、２３は伝送路５からのディジタル映像信号の受信を行うとともに、要求に応じてその受信中のディジタル映像信号を伝送路５に再送出する機能を有する受信・再送手段である。２４はある監視点の映像を映像表示装置４に画面表示したくなった場合に、その監視点を撮影しているカメラ１からの入力映像を処理している映像送出処理部２に対して、送出中のディジタル映像信号の新たな送出が可能であるか否か、および送出不可の場合に現在そのディジタル映像信号がどの映像表示処理部３に送出されているかを問い合わせる問合手段である。２５はこの問合手段２４による問い合わせに応答して通知されてくる、現在そのディジタル映像信号が送出されている映像表示処理部に対して、対応するディジタル映像信号の送出を要求する要求手段である。
【００２２】
次に動作について説明する。
ここで、図２は図１に示した映像データ伝送システムにおける情報の流れを示す説明図であり、図３はその動作の手順を示すフローチャートである。ここで、図２に図示したように、各映像送出処理部２には＃Ａ〜＃Ｎの識別コードが、各映像表示処埋部３には＃１〜＃ｎの識別コードがそれぞれ付与されている。今、＃Ａの映像送出処理部２は図２に実線ａおよびｂで示す経路で、＃１と＃２の映像表示処埋部３に対してディジタル映像信号を送出中であるものとする。そのような場合、記憶手段１５にはその旨が記録される。すなわち、記憶手段１５の転送先の領域にはディジタル映像信号を送出している映像表示処埋部３の識別コード＃１と＃２が記録され、伝送容量の領域にはそれぞれに利用されている伝送容量が１０Ｍｂｐｓ、１５Ｍｂｐｓであることが記録される。なお、この記憶手段１５にはその外に、当該映像送出処理部２が接続されている伝送路５で伝送可能な最大伝送容量１００Ｍｂｐｓもその最大伝送容量の領域に記録されている。
【００２３】
この時、＃ｎの映像表示処理部３が＃Ａの映像送出処理部２に対してディジタル映像信号の送出を要求する場合を考える。すなわち、図３のステップＳＴ１１において、所望の監視点を撮影しているカメラ１が接続されている＃Ａの映像送出処理部２に対して、問合手段２４より図２に一点鎖線ｃで示された経路で、新たなディジタル映像信号が送出可能かを問い合わせる。＃Ａの映像送出処理部２ではステップＳＴ１２において、判定手段２２で記憶手段１５より＃１と＃２の映像表示処理部３へのディジタル映像信号の伝送に現在使用中の伝送容量を読み出し、それらの合計と記憶手段１５から読み出した伝送路５の最大伝送容量とを比較して、当該ディジタル映像信号の新たな送出が可能であるか否かを判定し、その判定結果を前記一点鎖線ｃで示された経路を逆に＃ｎの映像表示処理部３に返送する。
【００２４】
図示の例では使用中の伝送容量の合計が２５Ｍｂｐｓであり、最大伝送容量１００Ｍｂｐｓを有する＃Ａの映像送出処理部２の伝送路５には十分な余裕があるため送出可能と判定される。従って、処理はステップＳＴ１３に進み、要求手段２５より＃Ａの映像送出処理部２に対して、図２の一点鎖線ｃで示す経路によって当該ディジタル映像信号の送出を起動する。これにより、＃Ａの映像送出処理部２より＃１および＃２の映像表示処理部３に送出されているディジタル映像信号が、伝送手段２１より図２に実線ｄで示された経路で＃ｎの映像表示処理部３に伝送される。＃ｎの映像表示処理部３ではステップＳＴ１４において、そのディジタル映像信号を受信・再送手段２３で受信し、表示装置インタフェース部１４で処理して映像表示装置４に表示する。
【００２５】
一方、＃Ａの映像送出処理部２の伝送路５に余裕がなければ送出不可と判定されて、処理はステップＳＴ１５に進む。ステップＳＴ１５では、＃ｎの映像表示処理部３の問合手段２４より＃Ａの映像送出処理部２に対して、そのディジタル映像信号が送出されている映像表示処理部３がどれであるかを問い合わせる。＃Ａの映像送出処理部２の判定手段２２は記憶手段１５を参照して、所望のディジタル映像信号の送出先が＃１と＃２の映像表示処理部３であることを確認し、それを＃ｎの映像表示処理部３に通知する。なお、この信号の授受も図２の一点鎖線ｃで示す経路によって行われる。
【００２６】
通知を受けた＃ｎの映像表示処理部３では、ステップＳＴ１６において、対象となる映像表示処理部３、例えば＃２の映像表示処理部３に対して、要求手段２５よりディジタル映像信号の再送出を起動する。このディジタル映像信号の転送要求は図２の一点鎖線ｅで示す経路によって行われる。転送要求を受けた＃２の映像表示処理部３では、ステップＳＴ１６において、受信・再送手段２３で現在受信中のディジタル映像信号を＃ｎの映像表示処理部３に再送出する。このディジタル映像信号は図２の破線ｆの経路で＃ｎの映像表示処理部３に送られて受信され、その映像表示装置４に表示される。なお、＃２の映像表示処理部３がなんらかの理由で受信中のディジタル映像信号を転送できず、他に転送可能な映像表示処理部３がなければ、ステップＳＴ１７において＃Ａの映像送出処理部２からのディジタル映像信号が受信が可能になるまで待機する。
【００２７】
このように、この実施の形態１によれば、＃Ａの映像送出処理部２の伝送路５に余裕がない場合でも、＃２の映像表示処理部３などから所望のディジタル映像信号の転送を受けることができるので、図１４にその処理フローを示した、従来の転送の仕組みがない映像データ伝送システムに比べて、伝送路５の余裕ができるまで待つ確率を大幅に低減できる効果がある。
【００２８】
実施の形態２．
上記実施の形態１では、カメラ１で撮影された入力映像のディジタル映像信号を実時間でのみ送信するものについて説明したが、このような実施の形態１の映像データ伝送システムでは、カメラ１の映像を一時蓄積することがなかったので、所望のカメラ番号だけ管理すればよかった。しかしながら、監視対象が異常になった時などに、カメラ１の入力映像を映像送出処理部２側で映像蓄積手段に蓄積しておき、映像表示処理部３側からの要求に応じてその蓄積映像の送出もできるような映像データ伝送システムでは少し複雑なものとなる。この発明の映像データ伝送システムはそのようなシステムにも適用可能であることはいうまでもない。
【００２９】
図４はそのような実施の形態２による映像データ伝送システムの構成を示すシステム構成図である。図において、１６は各映像送出処理部２内に設けられ、カメラ１で撮影されてカメラ入力部１１で入力処理され、ディジタル化された入力映像を一時蓄積しておく映像蓄積手段である。１７は各映像表示処理部３内に設けられ、映像送出処理部２より転送してもらった前記映像蓄積手段１６の蓄積映像を一時蓄積しておく映像蓄積手段であり、１８は同じく各映像表示処理部３内に設けられ、この映像蓄積手段１７に蓄積した蓄積映像の送信元などの属性情報が記録される記憶手段である。なお、映像送出処理部２内の記憶手段１５は、映像蓄積手段１６に蓄積された蓄積映像の各映像表示処理部３への転送の履歴も記憶している点で、図１に同一符号を付した実施の形態１におけるそれとは異なっている。
【００３０】
さらに、各映像送出処理部２の伝送路インタフェース部１２内において、２１は伝送手段、２２は判定手段であるが、以下の点において図１に同一符号を付して示した実施の形態１におけるそれらとは異なっている。すなわち、伝送手段２１はカメラ入力部１１でディジタル化された入力映像ばかりでなく、映像蓄積手段１６に蓄積されている蓄積映像についても要求に応じて映像表示処理部３に送出する機能を備えている。また、判定手段２２は問い合わせがあると記憶手段１５を参照し、そこに記憶されている履歴データに基づいて該当する蓄積映像の送出先を確認し、問い合わせてきた映像表示処理部３にそれを通知する機能を備えている。
【００３１】
同様に、各映像表示処理部３の伝送路インタフェース部１３内において、２３は受信・再送手段、２４は問合手段、２５は要求手段であるが、以下の点において図１に同一符号を付して示した実施の形態１におけるそれらとは異なっている。すなわち、受信・再送手段２３は他の映像表示処理部３からの蓄積映像の送出要求に応じて、該当する蓄積映像を映像蓄積手段１７より読み出してその映像表示処理部３に送出する機能を備えている。問合手段２４は所望の蓄積映像を蓄積している映像送出処理部２に対して、当該蓄積映像の送出の可否、およびその蓄積映像の転送先を問い合わせる機能とともに、その問い合わせに対して映像送出処理部２より通知されてくる、当該蓄積映像が転送されている映像表示処理部３に対して、その蓄積映像をまだ蓄積しているか否かを問い合わせる機能を備えている。要求手段２５はこの問合手段２４による問い合わせに応答して、映像蓄積手段１７に該当する蓄積映像を蓄積していると回答のあった映像表示処理部３に対して、その蓄積映像の送出を要求する機能を備えている。
【００３２】
なお、他の部分は図１に同一符号を付した実施の形態１におけるそれらと同等の部分であるためその説明は省略する。
【００３３】
次に動作について説明する。
ここで、図５は図４に示した映像データ伝送システムにおける情報の流れを示す説明図であり、図６はその動作の手順を示すフローチャートである。今、＃Ａの映像送出処理部２は図５に実線ａおよびｂで示す経路で、＃１と＃２の映像表示処埋部３に対してディジタル映像信号を送出中であるものとし、この＃Ａの映像送出処理部２はまた、映像蓄積手段１６に蓄積している蓄積映像の中の、映像時刻８：０７からの蓄積映像を＃２の映像表示処理部３に、１０：１３からの蓄積映像を＃６の映像表示処理部３にすでに送出済みであるものとする。そのような場合、記憶手段１５には現在の入力映像の送出先である映像表示処埋部３の識別コード＃１と＃２、それに利用されている伝送容量１０Ｍｂｐｓと１５Ｍｂｐｓ、および最大伝送容量１００Ｍｂｐｓとともに、映像蓄積手段１６に蓄積されている蓄積映像を送った映像表示処埋部３の識別コード＃２と＃６、およびそれぞれに送った蓄積映像の映像時刻８：０７と１０：１３が記録されている。また、＃２の映像表示処理部３の記憶手段１８には、この＃Ａの映像送出処理部２から転送された映像時刻８：０７からの蓄積映像と、＃Ｄの映像送出処理部２から転送された映像時刻９：１５からの蓄積映像が映像蓄積手段１７に蓄積されていることが記録されている。
【００３４】
この時、＃ｎの映像表示処理部３が＃Ａの映像送出処理部２に対して映像時刻８：０７の蓄積映像の送出を要求する場合を考える。すなわち、図６のステップＳＴ２１において、所望の蓄積映像をその映像蓄積手段１６に蓄積している＃Ａの映像送出処理部２に対して、当該蓄積映像の送出が可能か否かを、問合手段２４より図５に一点鎖線ｃで示された経路で問い合わせる。＃Ａの映像送出処理部２ではステップＳＴ２２において、実施の形態１の場合と同様に、記憶手段１５の記憶データに基づいて蓄積映像の送出の可否を判定し、その判定結果を＃ｎの映像表示処理部３に返送する。伝送路５に十分な余裕があれば送出可能と判定されて、ステップＳＴ２３で映像時刻８：０７からの蓄積映像の送出が起動され、ステップＳＴ２４で映像時刻８：０７からの蓄積映像が＃Ａの映像送出処理部２の伝送手段２１によって読み出され、図５に実線ｄで示された経路で＃ｎの映像表示処理部３に伝送され、その映像表示装置４に表示される。
【００３５】
一方、＃Ａの映像送出処理部２の伝送路５に余裕がなければ送出不可と判定されて、処理はステップＳＴ２５に進む。ステップＳＴ２５では、＃ｎの映像表示処理部３の問合手段２４より＃Ａの映像送出処理部２に対して、この映像時刻が８：０７からの蓄積映像が転送されている映像表示処理部３がどれであるかを問い合わせ、＃Ａの映像送出処理部２の判定手段２２は記憶手段１５を参照して、その蓄積映像が＃２の映像表示処理部３に転送されていることを、一点鎖線ｃで示す経路によって＃ｎの映像表示処理部３に通知する。通知を受けた＃ｎの映像表示処理部３では、ステップＳＴ２６において、問合手段２４よりその＃２の映像表示処理部３に対して、この映像時刻８：０７からの蓄積映像をまだ映像蓄積手段１７に蓄積しているか否かを問い合わせる。なお、この問い合わせは図５の一点鎖線ｅで示す経路によって行われる。＃２の映像表示処理部３では、ステップＳＴ２７において記憶手段１８を参照し、問い合わせのあった蓄積映像がまだ映像蓄積手段１７に蓄積されているか否かを判定し、その判定結果を前記一点鎖線ｅで示された経路を逆に＃ｎの映像表示処理部３に返送する。
【００３６】
図示の例では映像蓄積手段１７に＃Ａの映像送出処理部２から転送された映像時刻８：０７からの蓄積映像がまだ蓄積されているので、判定結果は蓄積有りとなって処理はステップＳＴ２８に進む。ステップＳＴ２８では、＃ｎの映像表示処理部３の要求手段２５から＃２の映像表示処理部３に対して、前記一点鎖線ｅで示された経路で当該蓄積映像の送出を起動する。＃２の映像表示処理部３では、ステップＳＴ２４において映像時刻８：０７からの蓄積映像を受信・再送手段２３によって読み出し、図５に破線ｆで示された経路で＃ｎの映像表示処理部３に伝送する。なお、ステップＳＴ２７における判定結果が蓄積無しであった場合には、処理をステップＳＴ２５に戻して、当該蓄積映像が転送されている他の映像表示処理部３の問い合わせを行う。
【００３７】
＃Ａの映像送出処理部２より別の映像表示処理部３が通知されれば、ステップＳＴ２６以下の処理が繰り返される。また、当該蓄積映像が転送されている他の映像表示処理部３がない場合には、ステップＳＴ２９に進んで、＃Ａの映像送出処理部２からその蓄積映像が受信が可能になるまで待機する。
【００３８】
なお、カメラ１で現在撮影されている入力映像の転送については実施の形態１の場合と同様であるため、ここではその説明は省略する。
【００３９】
このように、この実施の形態２によれば、映像送出処理部２の映像蓄積手段１６に蓄積された蓄積映像についても、その送出先の映像表示処理部３から転送を受けることができるので、伝送路５の余裕ができるまで待つ確率を大幅に低減できる効果がある。
【００４０】
実施の形態３．
上記実施の形態１では、カメラ１にて撮影した入力映像の送出先の管理を、それぞれの映像送出処理部２で行う場合について説明したが、各映像送出処理部２で個別に管理せず、この映像データ伝送システムの中に伝送路管理部を設け、この伝送路管理部にて集中的に入力映像の伝送状況を管理するようにしてもよい。
【００４１】
図７はそのような実施の形態３による映像データ伝送システムの構成を示すシステム構成図である。なお、実施の形態１における各部と同等の部分については、図１と同一符号を付してその説明は省略する。図において、６は伝送路５に接続され、伝送状況を管理する前述の伝送路管理部である。この伝送路管理部６内において、２６は各映像送出処理部２の伝送能力として、それら各映像送出処理部２が接続されている伝送路５の最大伝送容量を記憶するとともに、それら各映像送出処理部２が現在伝送を行っているディジタル映像信号の送出先とその伝送に利用されている伝送容量を記憶する記憶手段である。また、２７は映像表示処理部３の問合手段２４からの問い合わせがあった場合に、記憶手段２６に記憶されているデータに基づいて、新たなディジタル映像信号の送出可否の判定結果、あるいは該当するディジタル映像信号が現在送出されている映像表示処理部３を、問い合わせてきた映像表示処理部３に対して通知する判定手段２７である。
【００４２】
なお、映像表示処理部３内において、２４は所望の入力映像が入力されている映像送出処理部２における、送出中のディジタル映像信号の新たな送出の可否、および現在そのディジタル映像信号が送出されている送出先についての問い合わせを、その映像送出処理部２に対してではなく伝送路管理部６に対して行う点で、図１に同一符号を付して示した実施の形態１のそれとは異なった問合手段である。また、映像送出処理部２内において、２８はその映像送出処理部２の伝送手段２１が現在伝送を行っているディジタル映像信号の送出先、およびそれに利用されている伝送容量を伝送路管理部６に通知する通知手段２８である。
【００４３】
次に動作について説明する。
ここで、図８は図７に示した映像データ伝送システムにおける情報の流れを示す説明図であり、図９はその動作の手順を示すフローチャートである。今、＃Ａの映像送出処理部２は図８に実線ａおよびｂで示す経路で、＃１と＃２の映像表示処埋部３に対してディジタル映像信号を送出中であるものとする。そのような場合、このディジタル映像信号の送出に関する情報が、図８に二点鎖線ｃで示す経路によって伝送路管理部６に送られ、その記憶手段２６に記録される。すなわち、記憶手段２６の転送元の領域にはディジタル映像信号を送出している映像送出処理部２の識別コード＃Ａが、転送先の領域にはそれを受信している映像表示処埋部３の識別コード＃１と＃２が記録され、伝送容量の領域にはそれぞれの伝送に利用されている伝送容量が１０Ｍｂｐｓ、５Ｍｂｐｓであることが記録される。なお、この記憶手段２６にはその外の映像送出処理部２より送出されているディジタル映像信号に関する情報（＃Ｂ、＃２、１０Ｍｂｐｓなど）についても記録される。また、この記憶手段２６にはさらに、各映像送出処理部２の伝送路５で伝送可能な最大伝送容量（１００Ｍｂｐｓ、５０Ｍｂｐｓ、１５０Ｍｂｐｓなど）が、送出元（＃Ａ、＃Ｂ、＃Ｃなど）と対応させて記録されている。
【００４４】
この時、＃ｎの映像表示処理部３が＃Ａの映像送出処理部２に対してディジタル映像信号の送出を要求する場合を考える。すなわち、図９のステップＳＴ３１において、図８に一点鎖線ｄで示された経路で、問合手段２４より伝送路管理部６に対して、所望の監視点を撮影しているカメラ１が接続されている＃Ａの映像送出処理部２より新たなディジタル映像信号が送出可能かを問い合わせる。伝送路管理部６ではステップＳＴ３２において、判定手段２７で記憶手段２６に記録されたデータに基づいて新たなディジタル映像信号の送出の可否を判定し、その判定結果を前記一点鎖線ｄで示された経路を逆に＃ｎの映像表示処理部３に返送する。なお、上記判定は実施の形態１の場合と同様に行われる。
【００４５】
図示の例のように十分な余裕があれば送出可能と判定され、ステップＳＴ３３において要求手段２５より、図８に一点鎖線ｅで示された経路によって＃Ａの映像送出処理部２にディジタル映像信号の送出が要求される。これにより、＃Ａの映像送出処理部２の伝送手段２１は＃ｎの映像表示処理部３に、そのディジタル映像信号を図８に実線ｆで示した経路によって伝送する。その時、＃Ａの映像送出処理部２はステップＳＴ３４において、このディジタル映像信号の転送に関するデータを、前記二点鎖線ｃの経路を経由して伝送路管理部６に送り、その記憶手段２６に記録させる。＃ｎの映像表示処理部３はステップＳＴ３５において、受信・再送手段２３でそのディジタル映像信号を受信し、その映像を映像表示装置４に表示する。
【００４６】
一方、＃Ａの映像送出処理部２から新たなディジタル映像信号の送出不可と判定された場合、処理はステップＳＴ３６に進む。ステップＳＴ３６では、＃ｎの映像表示処理部３の問合手段２４より伝送路管理部６に対して、＃Ａの映像送出処理部２よりそのディジタル映像信号が送出されている映像表示処理部３がどれであるかを問い合わせる。伝送路管理部６の判定手段２７は記憶手段２６を参照して、＃Ａの映像送出処理部２より送出されているディジタル映像信号の送出先が＃１と＃２の映像表示処理部３であることを確認し、それを＃ｎの映像表示処理部３に通知する。なお、この信号の授受も図２の一点鎖線ｄで示す経路によって行われる。
【００４７】
通知を受けた＃ｎの映像表示処理部３の要求手段２５はステップＳＴ３７において、例えば図８に一点鎖線ｇで示した経路にて＃２の映像表示処理部３に対して、ディジタル映像信号の再送出を要求する。転送要求を受けた＃２の映像表示処理部３の受信・再送手段２３は、現在受信中のディジタル映像信号を＃ｎの映像表示処理部３に再送出する。このディジタル映像信号は図８の破線ｈの経路で＃ｎの映像表示処理部３に送られて受信され、その映像表示装置４に表示される。なお、＃２の映像表示処理部３がなんらかの理由で受信中のディジタル映像信号を転送できず、他に転送可能な映像表示処理部３がなければ、ステップＳＴ３８において＃Ａの映像送出処理部２からのディジタル映像信号が受信が可能になるまで待機する。
【００４８】
このように、この実施の形態３によれば、映像送出処理部２の記憶手段１５や判定手段２２を一箇所に集中的に配置しているので、記憶手段１５を各映像送出処理部２に分散配置した場合に比べて記憶データの整合性がとりやすくなり、さらには映像送出処理部２の構成を簡素化できて、システムを安価に構築できるなどの効果がある。
【００４９】
実施の形態４．
上記実施の形態１および２では、所望の監視点を撮影しているカメラ１が撮影した入力映像、あるいはそれを一時蓄積した蓄積映像の転送が可能か否かを、そのカメラ１が接続されている映像送出処理部２に問い合わせる場合について述べたが、他の映像表示処理部３に対して、前記映像送出処理部２から所望の映像を受信している否か、およびその転送が可能か否かを問い合わせるようにしてもよく、上記実施の形態１および２と同様の効果を奏する。
【００５０】
図１０はそのようなこの発明の実施の形態４による映像データ伝送システムの構成を示すシステム構成図である。なお、実施の形態２における各部と同等の部分については、図４と同一符号を付してその説明は省略する。図において、２９は各映像表示処理部３内に設けられ、他の映像表示処理部３の問合手段２４からの問い合わせに応答して、該当するディジタル映像信号を受信中であるか否か、および映像蓄積手段１７に該当する蓄積映像を蓄積しているか否かについて回答する応答手段２９である。
【００５１】
なお、映像表示処理部３内における２４は、所望の映像送出処理部２が現在送出している入力映像のディジタル映像信号を受信しているか否か、所望の蓄積映像を映像蓄積手段１７内に蓄積しているか否か、およびそれら入力映像や蓄積映像のディジタル映像信号を新たに送出することができるか否かについて、各映像表示処理部３に問い合わせを行う点で図４に同一符号を付したものとは異なる問合手段である。また、映像表示処理部３内における２５は、問合手段２４による問い合わせの結果、該当するディジタル映像信号を受信中、あるいは該当する蓄積映像を蓄積しており、それらの新たな送出が可能であると回答のあった映像表示処理部３に対してそれらの転送を要求し、該当するディジタル映像信号を受信中、あるいは該当する蓄積映像を蓄積していて、それらを新たに送信することが可能であると回答してきた映像表示処理部３がなかった場合には、該当する映像送出処理部２に対してそれらの転送を要求する点で、図４に同一符号を付したものとは異なる要求手段である。
【００５２】
次に動作について説明する。
ここで、図１１は図１０に示した映像データ伝送システムにおける情報の流れを示す説明図であり、図１２はその動作の手順を示すフローチャートである。今、＃Ａの映像送出処理部２は図１１に実線ａおよびｂで示す経路で、＃１と＃２の映像表示処埋部３に対してディジタル映像信号を送出中であり、＃２の映像表示処埋部３には映像時刻８：０７からの蓄積映像も、同図に実線ｃで示す経路にてすでに送出済であるものとする。この時、＃ｎの映像表示処理部３が＃Ａの映像送出処理部２に対してディジタル映像信号の送出を要求する場合を考える。なお、その場合の記憶手段１５の内容は、実施の形態２で説明したように、図１１に示すものとなる。
【００５３】
まず図１２のステップＳＴ４１において、＃ｎの映像表示処理部３の問合手段２４より他の映像表示処理部３に対して、所望の監視点を撮影しているカメラ１が接続されている＃Ａの映像送出処理部２が現在送出中のディジタル映像信号を受信しているか否かを問い合わせる。図１１には、この問い合わせを＃２と＃３の映像表示処理部３に対して行った場合を図示しており、この問い合わせは同図に一点鎖線ｄあるいはｅで示す経路によって行われる。それらの映像表示処理部３では応答手段２９より、＃Ａの映像送出処理部２から現在ディジタル映像信号の受信を行っているか否かを回答する。この場合、＃２の映像表示処理部３で＃Ａの映像送出処理部２から現在ディジタル映像信号の受信を行っているので、その旨の回答が前記一点鎖線ｄで示された経路を逆に＃ｎの映像表示処理部３に返送される。従って、ステップＳＴ４２における該当有無の判定では該当ありとなるため、＃ｎの映像表示処理部３の問合手段２４は＃２の映像表示処理部３に対して、受信中のディジタル映像信号を新たに送出可能か否かを、前記一点鎖線ｄの経路で問い合わせる。
【００５４】
＃２の映像表示処理部３の応答手段２９はステップＳＴ４３において、実施の形態１における映像送出処理部２の判定手段２２と同様にして伝送路５の余裕の有無を判定し、その判定結果を＃ｎの映像表示処理部３に回答する。判定結果が余裕有りであれば処理はステップＳＴ４４に進み、要求手段２５より＃２の映像表示処理部３に対して、図１１の一点鎖線ｄで示す経路によって当該ディジタル映像信号の転送を起動する。これにより、＃Ａの映像送出処理部２から＃２の映像表示処理部３に送出されているディジタル映像信号が、＃２の映像表示処理部３の受信・再送手段２３より図１１に破線ｆで示された経路によって、＃ｎの映像表示処理部３に伝送される。＃ｎの映像表示処理部３ではステップＳＴ４５において、そのディジタル映像信号を受信・再送手段２３で受信し、その映像を映像表示装置４に表示する。
【００５５】
一方、ステップＳＴ４２で該当なしと判定された場合、およびステップＳＴ４３で余裕なしと判定された場合には処理はステップＳＴ４６に進む。ステップＳＴ４６では、＃ｎの映像表示処理部３の問合手段２４より＃Ａの映像送出処理部２に対して、現在送出しているディジタル映像信号を新たに送出することができるか否かを問い合わせ、その判定手段２２より可能であるとの回答があれば、要求手段２５よりそのディジタル映像信号の送出を起動する。判定手段２２よりの回答が不可であればステップＳＴ４８において待機に入る。
【００５６】
また、＃Ａの映像送出処理部２でその映像蓄積手段１６に蓄積している蓄積映像中の、映像時刻８：０７からの蓄積映像を、＃ｎの映像表示処理部３にて映像表示装置４に表示する必要が生じた場合には、＃ｎの映像表示処理部３の問合手段２４は各映像表示処理部３に対して、当該蓄積映像をその映像蓄積手段１７に蓄積しているか否かを問い合わせる。以降、上記カメラ１で撮像した入力映像の場合とまったく同様にして、図１２に示したフローチャートの手順に従って処理が実行される。
【００５７】
実施の形態５．
上記各実施の形態では、映像送出処理部２の伝送能力として、それが接続されている伝送路５の最大伝送容量を用いたものについて説明したが、当該映像送出処理部２の最大処理能力を伝送能力として用いることも可能である。すなわち、記憶手段１５あるいは２６に映像送出処理部２の伝送能力として映像送出処理部２の最大処理能力を記憶させておき、判定手段２２あるいは２７にて、この映像送出処理部２の最大処理能力と、入力映像あるいは蓄積映像のディジタル映像信号の伝送に使用している伝送容量の合計との比較に基づいて、新たにディジタル映像信号の送出が可能か否かを判定する。
【００５８】
この判定基準としての伝送能力を伝送路５の最大伝送容量と映像送出処理部２の最大処理能力とで使い分けることにより、より適切な判定を行うことが可能となる。すなわち、映像送出処理部２の最大処理能力が接続されている伝送路５の最大伝送容量を上回る場合には、伝送能力として伝送路５の最大伝送容量を用いて、現在伝送中の入力映像および蓄積映像のディジタル映像信号の伝送に使用されている伝送容量に余裕があるかどうかを見て判定を行う。また、映像送出処理部２の最大処理能力が接続されている伝送路５の最大伝送容量を下回る場合には、伝送能力として映像送出処理部２の最大処理能力を用いて、映像送出処理部の最大処理能力に余裕があるかどうかを見て判定を行う。
【００５９】
実施の形態６．
上記各実施の形態では、映像送出処理部がそれぞれ１台のカメラ入力を持つものを示したが、この発明はこれにのみ限定されるものではなく、映像送出処理部に複数のカメラ入力を持たせる構成としてもよく、上記各実施の形態と同様の効果を奏する。
【００６０】
【発明の効果】
以上のように、請求項１記載の発明によれば、映像送出処理部に自身の伝送能力、および現在伝送しているディジタル映像信号の送出先とその利用伝送容量を記憶する記憶手段を設け、映像表示処理部側からの問い合わせに対して、この記憶手段の記憶データに基づいた送出の可否の判定結果、あるいはディジタル映像信号の送出先を回答し、それを受けた映像表示処理部では、送出可であれば映像送出処理部に対して、また不可であればその後の問い合わせで通知された映像表示処理部に対して、該当するディジタル映像信号の送出を要求するように構成したので、映像送出処理側の伝送路の伝送容量を必要以上に大きくしなくとも、複数の映像表示処理部で所望の入力映像のディジタル映像信号を、待ち合わせとなる確率を高くすることなく自由に受信できるようになり、伝送路のコストを低減することが可能となる効果がある。
【００６１】
請求項２記載の発明によれば、現在入力中の映像のディジタル映像信号のみを伝送手段より複数の映像表示処理部に対して同時に伝送するように構成したので、装置コストを低減でき、所望の入力映像のディジタル映像信号を、映像送出処理側の伝送路の伝送容量を必要以上に大きくせずに、複数の映像表示処理部で自由に受信することが可能となる効果がある。
【００６２】
請求項３記載の発明によれば、映像送出処理部に入力映像を一時蓄積する映像蓄積手段を設けてその蓄積映像の伝送履歴を記憶手段に記憶させ、蓄積映像の送出の可否、および当該蓄積映像の送出先についての問い合わせに対しても、その記憶データに基づいて回答するように構成したので、所望の蓄積映像のディジタル映像信号についても、映像送出処理側の伝送路の伝送容量を必要以上に大きくせずに、待ち合わせとなる確率を高くすることもなく、複数の映像表示処理部で自由に受信することが可能となり、伝送路のコストを低減することができる効果がある。
【００６３】
請求項４記載の発明によれば、伝送路に伝送路管理部を接続して、それに各映像送出処理部の伝送能力や、各映像送出処理部が現在伝送を行っているディジタル映像信号の送出先およびその利用伝送容量を記憶する記憶手段と、映像表示処理部からの問い合わせに対して、記憶手段の記憶データに基づいたディジタル映像信号の送出の可否の判定結果、およびそのディジタル映像信号の送出先を回答する判定手段を持たせ、映像表示処理部からの問い合わせをこの伝送路管理部に対して行うように構成したので、各記憶データを一箇所で管理できるため、その整合性を高めることができるばかりか、記憶手段や判定手段を一箇所に集中配置できるので、システム構成が簡素化され、安価な映像データ伝送システムが構築できる効果がある。
【００６４】
また、請求項１〜４記載の発明によれば、ディジタル映像信号の送出可否の判定基準となる伝送能力として、映像送出処理部の最大処理能力を用いるように構成したので、映像送出処理部の最大処理能力が、それが接続されている伝送路の最大伝送容量を下回るような場合に、ディジタル映像信号の送出可否を確実に判定できる効果がある。
【００６５】
請求項５記載の発明によれば、所望の入力映像の入力がある映像送出処理部からディジタル映像信号を受信中であるか否かの問い合わせを、他の映像表示処理部に対して行い、その問い合わせの結果、該当するディジタル映像信号を受信中と応答した映像表示処理部にその送出を要求するように構成したので、映像送出処理側の伝送路の伝送容量を必要以上に大きくしなくとも、複数の映像表示処理部で所望の入力映像のディジタル映像信号を、待ち合わせとなる確率を高くすることなく自由に受信できるようになり、伝送路のコストを低減することが可能となる効果がある。
【００６６】
請求項６記載の発明によれば、所望の入力映像のディジタル映像信号を受信中の映像表示処理部がない場合、そのディジタル映像信号の送出要求を映像送出処理部に対して行うように構成したので、複数の映像表示処理部で所望の入力映像のディジタル映像信号を受信する際に、待ち合わせとなる確率をさらに低減できる効果がある。
【００６７】
請求項７記載の発明によれば、他の映像表示処理部に対して、所望の蓄積映像を蓄積しているか否かを問い合わせ、その問い合わせの結果、その蓄積映像を蓄積していると応答した映像表示処理部に対してその送出を要求するように構成したので、所望の蓄積映像のディジタル映像信号についても、映像送出処理側の伝送路の伝送容量を必要以上に大きくせずに、待ち合わせとなる確率を高くすることもなく、複数の映像表示処理部で自由に受信することが可能となり、伝送路のコストを低減することができる効果がある。
【００６８】
請求項８記載の発明によれば、所望の蓄積映像を蓄積している映像表示処理部がない場合、その蓄積映像の送出要求を映像送出処理部に対して行うように構成したので、所望の蓄積映像のディジタル映像信号についても、複数の映像表示処理部で受信する際の待ち合わせとなる確率をさらに低減することが可能となる効果がある。
【図面の簡単な説明】
【図１】  この発明の実施の形態１による映像データ伝送システムの構成を示すシステム構成図である。
【図２】  この発明の実施の形態１における情報の流れを示す説明図である。
【図３】  この発明の実施の形態１における動作の手順を示すフローチャートである。
【図４】  この発明の実施の形態２による映像データ伝送システムの構成を示すシステム構成図である。
【図５】  この発明の実施の形態２における情報の流れを示す説明図である。
【図６】  この発明の実施の形態２における動作の手順を示すフローチャートである。
【図７】  この発明の実施の形態３による映像データ伝送システムの構成を示すシステム構成図である。
【図８】  この発明の実施の形態３における情報の流れを示す説明図である。
【図９】  この発明の実施の形態３における動作の手順を示すフローチャートである。
【図１０】  この発明の実施の形態４による映像データ伝送システムの構成を示すシステム構成図である。
【図１１】  この発明の実施の形態４における情報の流れを示す説明図である。
【図１２】  この発明の実施の形態４における動作の手順を示すフローチャートである。
【図１３】  従来の映像データ伝送システムの構成を示すシステム構成図である。
【図１４】  従来の映像データ伝送システムにおける動作の手順を示すフローチャートである。
【符号の説明】
２  映像送出処理部、３  映像表示処理部、４  映像表示装置、５  伝送路、６  伝送路管理部、１５，１８，２６  記憶手段、１６，１７  映像蓄積手段、２１  伝送手段、２２，２７  判定手段、２３  受信・再送手段、２４  問合手段、２５  要求手段、２８  通知手段、２９  応答手段。
【図１】
0003753771.tif 000002
【図２】
0003753771.tif 000003
【図３】
0003753771.tif 000004
【図４】
0003753771.tif 000005
【図５】
0003753771.tif 000006
【図６】
0003753771.tif 000007
【図７】
0003753771.tif 000008
【図８】
0003753771.tif 000009
【図９】
0003753771.tif 000010
【図１０】
0003753771.tif 000011
【図１１】
0003753771.tif 000012
【図１２】
0003753771.tif 000013
【図１３】
0003753771.tif 000014
【図１４】
0003753771.tif 000015